(57)【要約】【課題】高さ寸法の異なる複数種類の移動規制板を必要とすることなく移動規制板の高さを変更することのできるショーケースの棚構造を提供する。【解決手段】移動規制板３３の所定の面を背面に向けて移動規制板３３の下端を棚板３１の取付溝３１ｂに圧入することにより、棚板３１の上面から移動規制板３３の上端までの高さを第１の高さＨ１に設定し、所定の面を前面に向けて移動規制板３３の下端を取付溝３１ｂに圧入することにより、棚板３１の上面から移動規制板３３の上端までの高さを第２の高さＨ２に設定するようにしたので、高さ寸法の異なる複数種類の移動規制板を必要とすることなく、移動規制板３３の所定の面を前面または背面に向けて取付けるのみで移動規制板３３の取付高さを切換えることができ、部品点数の低減を図ることができる。【選択図】図６
2006325980.tif 000002
【特許請求の範囲】
【請求項１】
商品を載置する棚板と、棚板の前端側に幅方向に亘って設けられた溝に下端を圧入することにより着脱自在に設けられ、棚板上の商品の前方への移動を規制する移動規制板とを備えたショーケースの棚構造において、
前記移動規制板の所定の面を前面及び背面の一方に向けて移動規制板の下端を溝に圧入することにより、棚板の上面から移動規制板の上端までの高さを第１の高さに設定し、所定の面を前面及び背面の他方に向けて移動規制板の下端を溝に圧入することにより、棚板の上面から移動規制板の上端までの高さを第１の高さと異なる第２の高さに設定可能な高さ切換手段を備えた
ことを特徴とするショーケースの棚構造。
【請求項２】
前記高さ切換手段を、移動規制板の下端の所定の面側に下方に延出するように設けられた延出部と、溝の底面の前面側または背面側に設けられ、移動規制板の所定の面を前面または背面に向けた状態でのみ延出部を嵌合可能な嵌合孔とから構成した
ことを特徴とする請求項１記載のショーケースの棚構造。
【請求項３】
前記高さ切換手段を、移動規制板の下端に下方に延出するように複数設けられ、それぞれの取付位置及び幅方向の寸法が移動規制板の幅方向に左右非対称となるように設けられた延出部と、溝の底面に設けられ、移動規制板の所定の面を前面または背面に向けた状態でのみ延出部を嵌合可能な嵌合孔とから構成した
ことを特徴とする請求項１記載のショーケースの棚構造。
【請求項４】
前記嵌合孔に嵌合した状態の延出部を前面から覆うカバー部材を備えた
ことを特徴とする請求項２または３記載のショーケースの棚構造。
【発明の詳細な説明】
【技術分野】
【０００１】
本発明は、棚板の上面を前下りに傾斜させることにより商品を前方に移動可能なショーケースの棚構造に関するものである。
【背景技術】
【０００２】
従来、この種のショーケースの棚構造としては、上面を前下りに傾斜するように設けられ、載置された商品を前方に移動させるための棚板と、棚板の前端側に幅方向に亘って設けられた溝と、溝に下端を圧入することにより着脱自在に設けられ、棚板上の商品の前方への移動を規制する移動規制板とを備えたものが知られている（例えば、特許文献１参照）。
【特許文献１】実開平５−１８３６１号公報
【発明の開示】
【発明が解決しようとする課題】
【０００３】
しかしながら、従来のショーケースの棚構造では、棚板に載置する商品の高さ寸法に応じた高さ寸法の移動規制板を棚板に取付けなければならないため、高さ寸法の異なる複数種類の移動規制板を付属品として用意しなければならず、付属品の部品点数が増加するという問題点があった。また、使用しない移動規制板をショーケースに保管する場合には、ショーケースに移動規制板の収納部を設けなければならず、その分だけショーケースの製造コストが増加するという問題点があった。更に、使用しない移動規制板を別途保管する場合には、破損や紛失のおそれがあった。
【０００４】
本発明は前記問題点に鑑みてなされたものであり、その目的とするところは、高さ寸法の異なる複数種類の移動規制板を必要とすることなく移動規制板の高さを変更することのできるショーケースの棚構造を提供することにある。
【課題を解決するための手段】
【０００５】
本発明は前記目的を達成するために、商品を載置する棚板と、棚板の前端側に幅方向に亘って設けられた溝に下端を圧入することにより着脱自在に設けられ、棚板上の商品の前方への移動を規制する移動規制板とを備えたショーケースの棚構造において、前記移動規制板の所定の面を前面及び背面の一方に向けて移動規制板の下端を溝に圧入することにより、棚板の上面から移動規制板の上端までの高さを第１の高さに設定し、所定の面を前面及び背面の他方に向けて移動規制板の下端を溝に圧入することにより、棚板の上面から移動規制板の上端までの高さを第１の高さと異なる第２の高さに設定可能な高さ切換手段を備えている。
【０００６】
これにより、移動規制板の所定の面を前面または背面に向けて移動規制板の下端を溝に圧入することにより、棚板の取付高さを第１の高さまたは第２の高さに切換可能となることから、高さ寸法の異なる複数種類の移動規制板を必要とすることなく、移動規制板の取付高さの切換が可能となる。
【発明の効果】
【０００７】
本発明によれば、高さ寸法の異なる複数種類の移動規制板を必要とすることなく、移動規制板の所定の面を前面または背面に向けて取付けるのみで移動規制板の取付高さを切換えることができるので、部品点数の低減を図ることができる。また、使用しない高さ寸法の移動規制板を収納するための収納部をショーケースに設ける必要がなく、ショーケースの製造コストの低減を図ることができる。また、使用しない他の移動規制板を別途保管することによる移動規制板の破損や紛失を防止することができる。
【発明を実施するための最良の形態】
【０００８】
図１乃至図７は本発明の一実施形態を示すもので、図１はショーケースの側面断面図、図２は商品棚の要部斜視図、図３は商品棚の側面図、図４は移動規制板の取付動作を示す商品棚の要部側面断面図、図５は移動規制板の取付動作を示す商品棚の要部正面断面図、図６は移動規制板を第１の高さとした商品棚の要部側面断面図、図７は移動規制板を第２の高さとした商品棚の要部側面断面図である。
【０００９】
本発明の棚構造を備えたショーケースは、前面に開口部を有するショーケース本体１０と、ショーケース本体１０内の底面側、背面側及び上面側に沿って形成された通風路２０とを備えている。
【００１０】
ショーケース本体１０は上面側、背面側及び底面側が断熱壁１１によって形成されている。また、ショーケース本体１０の左右両側面側は、上面側、背面側及び底面側に設けられた図示しない断熱壁と、断熱壁の上面側と底面側の間、且つ断熱壁の背面側の前面側に設けられた図示しないガラス板によってそれぞれ覆われている。ショーケース本体１０内には、断熱壁１１の内面と間隔をおいて上面側、背面側及び底面側にそれぞれ上面板１２、背面板１３及び底板１４が設けられ、その内部に商品収納部１５が設けられている。
【００１１】
通風路２０は、断熱壁１１の内面と上面板１２、背面板１３及び底板１４との間に形成され、ショーケース本体１０の開口部の下端に位置する通風路２０の端部には空気吸入口２１が設けられ、上端に位置する位置する通風路２０の端部には空気吐出口２２が設けられている。また、底面側の通風路２０には空気を流通させるための送風機２３が設けられ、背面側の通風路２０の下部には空気を冷却するための冷却器２４が設けられている。
【００１２】
このように構成されたショーケースは、送風機２３によって空気吸入口２１から通風路２０内に吸入した空気を冷却器２４によって冷却し、冷却した空気を空気吐出口２２から吐出することにより商品収納部１５内が冷却されるようになっている。
【００１３】
前記ショーケースの商品収納部１５には本発明の棚構造を有する商品棚３０が上下方向に複数段配置されている。各商品棚３０は、商品を載置するための棚板３１と、棚板３１を支持する左右一対の棚受３２と、棚板３１の前端側に設けられ、棚板３１上の商品Ａの前方への移動を規制するための移動規制板３３とを備え、各商品棚３０は棚板３１の上面を前方に向かって下り傾斜をなすように傾斜角度を変更可能に構成されている。
【００１４】
棚板３１は商品収納部１５内を幅方向に延びる平板状に設けられ、その幅方向両端及び後端には上方に延びる側壁３１ａが設けられている。また、棚板３１の前端側には、移動規制板３３の下端を圧入することにより、移動規制板３３を保持可能な溝としての取付溝３１ｂが幅方向に亘って設けられている。更に、取付溝３１ｂの底面前端側には、後述する移動規制板３３の下端側に設けられた延出部を嵌合可能な幅方向一対の嵌合孔３１ｃが幅方向に延びるように形成されている。また、棚板３１の前端には、棚板３１の下方を前面側から覆うカバー部材としてのカバー板３１ｄが下方に延びるように設けられ、嵌合孔３１ｃに嵌合した後述する移動規制板３３の延出部を前面側から見えないように隠蔽するようになっている。
【００１５】
各棚受３２は、棚板３１の左右両端側に設けられ、前後方向に延びるように形成されている。また、各棚受３２の後端には商品収納部１５に商品棚３０を係止するための係止片３２ａが設けられ、係止片３２ａは商品収納部１５の背面側に位置する左右一対の棚柱１５ａに設けられた上下複数の孔１５ｂにそれぞれ係止可能となっている。各商品棚３０は、各係止片３２ａを任意の高さ位置の孔１５ｂに係止することにより、任意の高さ位置に取付られるようになっている。
【００１６】
移動規制板３３は、アクリル樹脂等の透明な部材からなり、下端を棚板の取付溝３１ｂに圧入することにより着脱自在に取付可能となっている。また、移動規制板３３の下端には、取付溝３１ｂの底面に設けられた嵌合孔３１ｃに嵌合可能な幅方向一対の延出部３３ａが設けられている。延出部３３ａは、厚さ方向の寸法が移動規制板３３の厚さ方向の寸法よりも小さく形成されるとともに、移動規制板３３の所定の面側から下方に延びるように形成されている。つまり、移動規制板３３の所定の面を前面に向けた状態で移動規制板３３の下端を棚板３１の取付溝３１ｂに圧入することにより、延出部３３ａが嵌合孔３１ｃに嵌合可能となっている。
【００１７】
以上のように構成されたショーケースの棚構造において、移動規制板３３の取付動作について説明する。商品棚３０に陳列する商品の高さ寸法が大きい場合には、移動規制板３３の所定の面を背面に向けた状態で移動規制板３３の下端を棚板３１の取付溝３１ｂに圧入する。このとき、延出部３３ａは嵌合孔３１ｃに嵌合することなく、延出部３３ａの下端が取付溝３１ｂの底面に当接し、棚板３１の上面から移動規制板３３の上端までの高さは第１の高さＨ１となる。また、商品棚３０に陳列する商品の高さ寸法が小さい場合には、移動規制板３３の所定の面を前面に向けた状態で移動規制板３３の下端を棚板３１の取付溝３１ｂに圧入する。このとき、延出部３３ａは嵌合孔３１ｃに嵌合して移動規制板３３の下端が取付溝３１ｂの底面に当接し、棚板３１の上面から移動規制板３３の上端までの高さは第２の高さＨ２となる。
【００１８】
このように、本実施形態のショーケースの棚構造によれば、移動規制板３３の所定の面を背面に向けて移動規制板３３の下端を棚板３１の取付溝３１ｂに圧入することにより、棚板３１の上面から移動規制板３３の上端までの高さを第１の高さＨ１に設定し、所定の面を前面に向けて移動規制板３３の下端を取付溝３１ｂに圧入することにより、棚板３１の上面から移動規制板３３の上端までの高さを第２の高さＨ２に設定するようにしたので、高さ寸法の異なる複数種類の移動規制板を必要とすることなく、移動規制板３３の所定の面を前面または背面に向けて取付けるのみで移動規制板３３の取付高さを切換えることができ、部品点数の低減を図ることができる。また、使用しない高さ寸法の移動規制板を収納するための収納部をショーケース本体１０に設ける必要がなく、ショーケースの製造コストの低減を図ることができる。また、使用しない他の移動規制板を別途保管することによる移動規制板の破損や紛失を防止することができる。
【００１９】
また、移動規制板３３の下端の所定の面側に下方に延出するように設けられた延出部３３ａと、取付溝３１ｂの底面の前面側に設けられ、延出部３３ａを嵌合可能な嵌合孔３１ｃとによって移動規制板３３の取付高さを切換可能に構成したので、別途部品を必要とすることなく移動規制板３３及び棚板３１の簡単な加工のみで移動規制板３３の取付高さを切換可能とすることができ、製造コストの低減を図ることができる。
【００２０】
また、嵌合孔３１ｃに嵌合した状態の延出部３３ａを前面から覆うカバー板３１ｄを備えたので、棚板３１の下方から突出する延出部３３ａを前面から覆うことができ、延出部３３ａが棚板３１の下方から突出することによって商品棚３０の美観を損ねることはない。
【００２１】
尚、前記実施形態では、一対の延出部３３ａを移動規制板３３の下端に設けたものを示したが、一つの延出部を移動規制板３３の下端に設けたものでもよいし、３つ以上の延出部を互いに間隔をおいて設けるようにしたものでもよい。
【００２２】
また、前記実施形態では、嵌合孔３１ｃを取付溝３１ｂの底面前端側に設けたものを示したが、嵌合孔３１ｃを取付溝３１ｂの底面後端側に設けたものでもよい。この場合、移動規制板３３の所定の面を前面に向けて移動規制板３３の下端を取付溝３１ｂに圧入することにより、第１の高さＨ１が設定される。また、移動規制板３３の所定の面を背面に向けて移動規制板３３の下端を取付溝３１ｂに圧入することにより、第２の高さＨ２が設定される。
【００２３】
図８乃至図１３は本発明の他の実施形態を示すもので、図８は移動規制板の取付動作を示す商品棚の要部分解側面断面図、図９は移動規制板の取付動作を示す商品棚の要部正面断面図、図１０は移動規制板を第１の高さとした商品棚の要部正面断面図、図１１は移動規制板を第１の高さとした商品棚の要部側面断面図、図１２は移動規制板を第２の高さとした商品棚の要部正面断面図、図１３は移動規制板を第２の高さとした商品棚の要部側面断面図である。尚、前記実施形態と同様の構成部分には同一の符号を付して示す。
【００２４】
本実施形態の棚構造は、移動規制板３３の下端に移動規制板３３の厚さ寸法と同じ厚さ寸法の延出部３３ｂが幅方向に複数設けられている。各延出部３３ｂは、それぞれの取付位置及び幅方向の寸法が移動規制板３３の幅方向に非左右対称となるように移動規制板３３に設けられている。また、棚板３１の取付溝３１ｂの底面には、移動規制板３３の所定の面を前面に向けた状態でのみ各延出部３３ｂが嵌合可能な複数の嵌合孔３１ｅが設けられている。
【００２５】
以上のように構成されたショーケースの棚構造において、移動規制板３３の取付動作について説明する。商品棚３０に陳列する商品の高さ寸法が大きい場合には、移動規制板３３の所定の面を背面に向けた状態で移動規制板３３の下端を棚板３１の取付溝３１ｂに圧入する。このとき、延出部３３ｂは嵌合孔３１ｅに嵌合することなく、延出部３３ｂの下端が取付溝３１ｂの底面に当接し、棚板３１の上面から移動規制板３３の上端までの高さは第１の高さＨ１となる。また、商品棚３０に陳列する商品の高さ寸法が小さい場合には、移動規制板３３の所定の面を前面に向けた状態で移動規制板３３の下端を棚板３１の取付溝３１ｂに圧入する。このとき、延出部３３ｂは嵌合孔３１ｅに嵌合して移動規制板３３の下端が取付溝３１ｂの底面に当接し、棚板３１の上面から移動規制板３３の上端までの高さは第２の高さＨ２となる。
【００２６】
このように、本実施形態のショーケースの棚構造によれば、移動規制板３３の下端に下方に延びるように複数設けられ、それぞれの取付位置及び幅方向の寸法が移動規制板３３の幅方向に左右対称とならないように設けられた延出部３３ｂと、取付溝３１ｂの底面に設けられ、移動規制板３３の所定の面を前面に向けた状態でのみ各延出部３３ｂが嵌合可能な複数の嵌合孔３１ｅとによって移動規制板３の取付高さを切換可能に構成したので、別途部品を必要とすることなく移動規制板３３及び棚板３１の簡単な加工のみで移動規制板３３の取付高さを切換可能とすることができ、製造コストの低減を図ることができる。
【００２７】
尚、前記他の実施形態では、各延出部３３ｂがそれぞれの取付位置及び幅方向の寸法が移動規制板３３の幅方向に左右対称とならないように設けられた移動規制板３３として、図９のような移動規制板を示したが、図１４のような延出部３３ｃが複数設けられた移動規制板３３でもよく、第１の高さを設定したときにできるだけ多くの延出部の下端側が取付溝３１ｂの底面に当接するようにすれば、移動規制板３３の取付状態を安定させることができる。
【図面の簡単な説明】
【００２８】
【図１】本発明の一実施形態を示すショーケースの側面断面図
【図２】商品棚の要部斜視図
【図３】商品棚の側面図
【図４】移動規制板の取付動作を示す商品棚の要部側面断面図
【図５】移動規制板の取付動作を示す商品棚の要部正面断面図
【図６】移動規制板を第１の高さとした商品棚の要部側面断面図
【図７】移動規制板を第２の高さとした商品棚の要部側面断面図である
【図８】本発明の他の実施形態を示す移動規制板の取付動作を示す商品棚の要部分解側面断面図
【図９】移動規制板の取付動作を示す商品棚の要部正面断面図
【図１０】移動規制板を第１の高さとした商品棚の要部正面断面図
【図１１】移動規制板を第１の高さとした商品棚の要部側面断面図
【図１２】移動規制板を第２の高さとした商品棚の要部正面断面図
【図１３】移動規制板を第２の高さとした商品棚の要部側面断面図
【図１４】延出部のその他の例を示す移動規制板の正面図
【符号の説明】
【００２９】
３０…商品棚、３１…棚板、３１ｂ…取付溝、３１ｃ…嵌合孔、３１ｄ…カバー板、３１ｅ…嵌合孔、３３…移動規制板、３３ａ…延出部、３３ｂ…延出部、３３ｃ…延出部。
【図１】
2006325980.tif 000003
【図２】
2006325980.tif 000004
【図３】
2006325980.tif 000005
【図４】
2006325980.tif 000006
【図５】
2006325980.tif 000007
【図６】
2006325980.tif 000008
【図７】
2006325980.tif 000009
【図８】
2006325980.tif 000010
【図９】
2006325980.tif 000011
【図１０】
2006325980.tif 000012
【図１１】
2006325980.tif 000013
【図１２】
2006325980.tif 000014
【図１３】
2006325980.tif 000015
【図１４】
2006325980.tif 000016